(57)【特許請求の範囲】
【請求項１】
前面部が開口された本体部と、その本体部に対して収納移動可能でかつ前記本体部から引き出し移動可能な洗浄槽とが設けられ、
前記本体部の内側面部に、前記洗浄槽を前記本体部に対して収納移動および前記本体部から引き出し移動させるためのレール案内体が設けられ、
前記洗浄槽の外側横側部に、前記レール案内体にて案内されるレール体が設けられている食器洗浄機であって、
前記洗浄槽が、洗浄槽本体とその下方のベースとを備え、かつ、前記洗浄槽の引出方向視において前記ベースの外側横側部が前記洗浄槽本体の外側横側部よりも内方側に位置する状態で構成され、
前記レール体及び前記レール案内体が、前記洗浄槽の引出方向視において、前記洗浄槽本体の下方でかつ前記洗浄槽本体の外側横側部よりも内方側に位置し、且つ、前記ベースの下端よりも上方に位置する状態で設けられ、
前記洗浄槽の外側横側部には、前記レール体を覆う状態で、前記洗浄槽の外側横側部を全体にわたって被覆する平板状の化粧体が設けられ、
前記洗浄槽が、前記化粧体を設置した状態で、前記本体部に対して収納移動可能でかつ前記本体部から引き出し移動可能に設けられている食器洗浄機。
【請求項２】
前記化粧体が、ステンレス製の板体にて構成されている請求項１に記載の食器洗浄機。
【請求項３】
前記洗浄槽の外側横側部または前記化粧体の内側面部には、制振材が設けられている請求項１または２に記載の食器洗浄機。
【請求項４】
前記化粧体が、前記洗浄槽の外側横側部との間に吸音材を介在させる状態で設けられている請求項１〜３のいずれか１項に記載の食器洗浄機。
【発明の詳細な説明】
【０００１】
【発明の属する技術分野】
本発明は、前面部が開口された本体部と、その本体部に対して収納移動可能でかつ前記本体部から引き出し移動可能な洗浄槽とが設けられ、前記本体部の内側面部に、前記洗浄槽を前記本体部に対して収納移動および前記本体部から引き出し移動させるためのレール案内体が設けられ、前記洗浄槽の外側横側部に、前記レール案内体にて案内されるレール体が設けられている食器洗浄機に関する。
【０００２】
【従来の技術】
上記のような食器洗浄機は、洗浄槽の引き出し方向の正面部に扉が設けられ、本体部に設けられたレール案内体が洗浄槽の外側横側部に設けられたレール体を本体部から引き出す方向に案内して、本体部から洗浄槽を引き出し移動させて、洗浄槽に食器などの被洗浄物を洗浄槽内に収納可能とし、本体部に設けられたレール案内体が洗浄槽の外側横側部に設けられたレール体を本体部に収納する方向に案内して、洗浄槽を本体部に対して収納移動させて、洗浄槽を本体部の収納位置に収納させて扉にて本体部を閉塞して、洗浄運転や乾燥運転などの各運転を行うものである。
【０００３】
そして、この種の食器洗浄機では、図５に示すように、扉２０による引き出し操作にて洗浄槽２１を本体部２２から引き出したときに、洗浄槽２１の外側横側部の形状およびレール体２３が露出するようにしている。
【０００４】
【発明が解決しようとする課題】
しかしながら、上記従来の食器洗浄機では、洗浄槽を本体部から引き出したときに、洗浄槽の外側横側部の形状およびレール体が露出するようにしているので、洗浄槽を本体部から引き出したときに、洗浄槽の外側横側部の凹凸形状やレール体がむき出しになり、見栄えが悪くなるという不都合があった。
【０００５】
本発明は、かかる点に着目してなされたものであり、その目的は、洗浄槽を本体部から引き出したときにも、外観の美しさを維持することが可能となる食器洗浄機を提供する点にある。
【０００６】
【課題を解決するための手段】
この目的を達成するために、請求項１に記載の発明によれば、前面部が開口された本体部と、その本体部に対して収納移動可能でかつ前記本体部から引き出し移動可能な洗浄槽とが設けられ、前記本体部の内側面部に、前記洗浄槽を前記本体部に対して収納移動および前記本体部から引き出し移動させるためのレール案内体が設けられ、前記洗浄槽の外側横側部に、前記レール案内体にて案内されるレール体が設けられている食器洗浄機において、
前記洗浄槽が、洗浄槽本体とその下方のベースとを備え、かつ、前記洗浄槽の引出方向視において前記ベースの外側横側部が前記洗浄槽本体の外側横側部よりも内方側に位置する状態で構成され、
前記レール体及び前記レール案内体が、前記洗浄槽の引出方向視において、前記洗浄槽本体の下方でかつ前記洗浄槽本体の外側横側部よりも内方側に位置し、且つ、前記ベースの下端よりも上方に位置する状態で設けられ、
前記洗浄槽の外側横側部には、前記レール体を覆う状態で、前記洗浄槽の外側横側部を全体にわたって被覆する平板状の化粧体が設けられ、前記洗浄槽が、前記化粧体を設置した状態で、前記本体部に対して収納移動可能でかつ前記本体部から引き出し移動可能に設けられている。
【０００７】
すなわち、洗浄槽が、その洗浄槽の外側横側部に、レール体を覆うように化粧体を設置した状態で、洗浄槽が本体部に対して収納移動可能でかつ本体部から引き出し移動可能に設けられているので、常時、洗浄槽の外側横側部およびレール体を化粧体にて被覆させることが可能となり、洗浄槽を本体部から引き出したときにも、化粧体にて洗浄槽の外側横側部の形状およびレール体がむき出しになるのを防止することが可能となる。
したがって、洗浄槽を本体部から引き出したときには、板状の化粧体の形状が露出することとなって、洗浄槽を本体部から引き出したときにも、外観の美しさを維持することが可能となる食器洗浄機を提供できるに到った。
【０００８】
請求項２に記載の発明によれば、前記化粧体が、ステンレス製の板体にて構成されている。
すなわち、洗浄槽の外側横側部に、レール体を覆うように化粧体を設置した化粧体が、ステンレス製の板体にて構成されているので、化粧板自体の強度を強くすることが可能となり、洗浄槽の外側横側部における強度を強くすることが可能となる。
【０００９】
請求項３に記載の発明によれば、前記洗浄槽の外側横側部または前記化粧体の内側面部には、制振材が設けられている。
すなわち、洗浄槽の外側横側部または化粧体の内側側面部に、制振材が設けられているので、制振材を設けながら、その制振材も化粧体にて被覆することが可能となって、洗浄槽からの音を防音しながら、外観の美しさも維持することが可能となる。
【００１０】
請求項４に記載の発明によれば、前記化粧体が、前記洗浄槽の外側横側部との間に吸音材を介在させる状態で設けられている。
すなわち、化粧体が、洗浄槽の外側横側部の間に吸音材を介在させる状態で設けられているので、洗浄槽の外側横側部と化粧体との間の空間を利用して、吸音材を設けながら、その吸音材も化粧体にて被覆することが可能となって、洗浄槽からの音を防音しながら、外観の美しさも維持することが可能となる。
【００１１】
【発明の実施の形態】
本発明にかかる食器洗浄機について図面に基づいて説明する。
この食器洗浄機は、図１〜図３に示すように、前面部が開口された本体部１と、その本体部１に対して収納移動可能でかつ本体部１から引き出し移動可能な洗浄槽２と、洗浄槽２を本体部１に収納した状態で洗浄槽２の上面部を閉塞し、かつ、洗浄槽２を本体部１から引き出した状態で洗浄槽２の上面部を開口させる内蓋部３と、食器洗浄機の運転を制御する制御部などから構成されている。
【００１２】
前記洗浄槽２は、ステンレス製のコ字状とＬ字状の２枚の板体を溶接して、上部が開口した桶状に形成された洗浄槽本体２ａと、その洗浄槽本体２ａの下方にネジ止めされたベース２ｂとから構成されている。
そして、図示はしないが、ベース２ｂには、洗浄ポンプ、排水ポンプ、乾燥ファンなどが備えられ、洗浄槽本体２ａの内部には、洗浄ノズル４やヒーターなどが設けられ、食器などを収納載置するステンレス製の洗浄かご５が取り出し自在に収納されている。
【００１３】
ちなみに、洗浄槽本体２ａは、詳述はしないが、２枚の板体を溶接したものを、上部外側の全周にわたる固定板にて固定し、洗浄槽本体２ａの前方側両端部、および、後方側両端部とその下方側の夫々に、支柱をネジ止めさせて形成されている。
また、ベース２ｂは、洗浄槽本体２ａの支柱の下部とベース取付板とが前方側および後方側の夫々にてネジ止めされて、洗浄槽本体２ａとベース２ｂとが一体的に移動するように構成されている。
【００１４】
前記本体部１の内側面部に、洗浄槽２を本体部１に対して収納移動および本体部１から引き出し移動させるための左右一対のレール案内体６が設けられ、洗浄槽２の外側横側部２ｄに、レール案内体６にて案内される左右一対のレール体７が設けられ、洗浄槽２の前部には、扉８が設けられている。
説明を加えると、洗浄槽２の引き出し操作に伴って、レール案内体６がレール体７を本体部１の前方側に案内して、本体部１から洗浄槽２を前方側に引き出し移動させて、洗浄槽２に食器などの被洗浄物を洗浄槽２内に収納するように構成されている。
また、洗浄槽２の収納操作に伴って、レール案内体６がレール体７を本体部１の後方側に案内して、洗浄槽２を本体部１に対して後方側に収納移動させて、洗浄槽２を本体部１の収納位置に収納させて扉８にて本体部１を閉塞するように構成されている。
【００１５】
そして、洗浄槽２を本体部１から引き出した状態で、食器などを洗浄かご５に収納したり取り出し可能とし、洗浄槽２を本体部１に収納した状態で、洗浄ポンプ、洗浄ノズル４やヒータなどを作動させて、洗浄運転や乾燥運転などの各運転を行うように構成されている。
【００１６】
前記レール案内体６は、本体部１の前後方向に沿う状態で、レール案内体取付部６ａを介して本体部１の内側下面部に設けられ、そのレール案内体６に対応するベース２ｂの外側横側部２ｄにレール体７が設けられている。
そして、レール体７は、洗浄槽２の外側横側部に連結されたレールを備え、そのレールを伸縮することによって２段階に伸縮可能に構成されている。
すなわち、洗浄槽２の前方側への引き出し操作に伴って、レール案内体６にてレール体７を本体部１の前方側に案内されたのち、洗浄槽２の外側横側部２ｄに連結されたレールを前方側に伸ばして、食器などを洗浄かご５に収納したり取り出し可能な位置まで洗浄槽２を本体部１から引き出すようにしている。
また、洗浄槽２を引き出した状態から洗浄槽２の後方側への収納操作に伴って、洗浄槽２の外側横側部２ｄに連結されたレール体７のレールを縮めたのち、レール案内体６にてレール体７を本体部１の後方側に案内させて、洗浄槽２を収納位置に収納するようにしている。
【００１７】
前記洗浄槽２の外側両横側部には、図２および図３に示すように、レール体７を覆う状態で、洗浄槽２の外側横側部２ｄを被覆する板状の化粧体９が設けられ、洗浄槽２が、化粧体９を設置した状態で、本体部１に対して収納移動可能でかつ本体部１から引き出し移動可能に設けられている。
説明を加えると、化粧板９が、洗浄槽２の外側横側部２ｄだけでなく、レール体７をも覆うように設置され、その化粧板９が設置された状態で、洗浄槽２が、本体部１に対して収納移動されたり、本体部１から引き出し移動されるようにして、洗浄槽２を本体部１から引き出したときに、化粧板９にて洗浄槽２の外側横側部２ｄおよびレール体７が被覆され、洗浄槽２を本体部１に収納したときに、化粧板９にて洗浄槽２の外側横側部２ｄ、レール体７、および、レール案内体６が被覆されるように構成されている。
【００１８】
ちなみに、洗浄槽２の外側横側部２ｄには、補強用のリブが形成され、そのリブを含めた洗浄槽２の外側横側部２ｄの全体にわたって被覆するように、化粧体９が設けられ、洗浄槽本体２ａの後方側の支柱に形成された上下の切欠部２ｃに化粧体９の後方側を嵌め込むことによって、化粧体９を設置するようにしている。
なお、図２は、食器洗浄機を横側方から見たときの一部を切欠いた縦断面図であり、図３は、食器洗浄機の後方から見たときの縦断面図を示すものである。
【００１９】
また、化粧体９は、ステンレス製の板体にて構成され、化粧体９自体の強度を向上して、洗浄槽２の外側横側部２ｄにおける強度を向上するように構成されている。
そして、洗浄槽２の外側横側部２ｄおよび化粧体９の内側面部の両方には、図３および図４に示すように、制振材１０（例えば、コールタールに金属粉を混合した重量物）を設け、化粧体９が、洗浄槽２の外側横側部２ｄとの間に吸音材１１（例えば、不織布）を介在させる状態で設けられ、化粧体９と洗浄槽２の外側横側部２ｄとの間の空間を利用して、洗浄槽２からの音を防音するように構成されている。
【００２０】
このようにして、常時、洗浄槽２の外側横側部２ｄおよびレール体７を化粧体９にて被覆させて、洗浄槽２を本体部１から引き出したときにも、化粧体９にて洗浄槽の外側横側部２ｄの形状およびレール体７がむき出しになるのを防止し、洗浄槽２を本体部１から引き出したときにも、外観の美しさを維持するようにしている。
しかも、化粧体９と洗浄槽２の外側横側部２ｄとの間の空間を利用して、制振材１０や吸音材１１を設けることによって、洗浄槽２を本体部１から引き出したときの外観の美しさを維持しながら、防音対策を講じることができることとなる。
【００２１】
そして、洗浄槽２、化粧板９、および、洗浄かご５の夫々をステンレス製にて構成し、洗浄槽２、化粧板９、および、洗浄かご５の夫々を統一した材料にて構成することによって、洗浄槽２を本体部１から引き出したときの見栄えをよくしている。
また、洗浄槽２をステンレス製にて構成することによって、臭い移り、変色や色移りなどを防止するとともに、強度を強くしながら、耐熱性を向上し、乾燥工程におけるヒーターの加熱温度を高い温度まで上げることが可能となる。
【００２２】
前記内蓋部３は、図外のコイルスプリングやカム機構を利用して、洗浄槽２の収納方向への移動および引き出し方向への移動に連動して、収納方向および引き出し方向に移動させるとともに、洗浄槽２の上面部に対して上下動させて、洗浄槽２を収納位置まで移動させると、内蓋部３にて洗浄槽２の上面部を閉塞し、洗浄槽２を本体部１から引き出した状態で洗浄槽２の上面部を開口させるように構成されている。
なお、内蓋部３を、洗浄槽２の移動に連動して移動させるとともに、洗浄槽２の上面部に対して上下動させるための構成は、コイルスプリングやカム機構に限らず、例えば、リンク機構など、各種のものが適応可能である。
【００２３】
この食器洗浄機は、上述の如く、洗浄槽２を本体部１に対して収納移動可能でかつ本体部１から引き出し移動可能に構成したスライド式のものであり、洗浄槽２が収納位置に収納されている状態で、洗浄運転や乾燥運転などの各運転を行うように構成されている。
【００２４】
〔別実施形態〕
（１）上記実施形態では、化粧体９をステンレス製の板体にて構成した例を示したが、ステンレス製に限られるものではなく、樹脂製など各種の材料が適応可能である。
【００２５】
（２）上記実施形態では、洗浄槽２の外側横側部２ｄおよび化粧体９の内側面部の両方に、制振材１０を設ける例を示したが、洗浄槽２の外側横側部２ｄおよび化粧体９の内側側面部のうち、いずれか一方にだけ、制振材１０を設けて実施することも可能である。
【００２６】
（３）上記実施形態では、洗浄槽２の外側横側部２ｄおよび化粧体９の内側面部の両方に、制振材１０を設け、洗浄槽２の外側横側部２ｄと化粧体９との間に、吸音材１１を設けて、制振材１０および吸音材１１の両方を設ける例を示したが、制振材１０および吸音材１１のうち、いずれか一方のみを設けて実施することも可能である。
【００２７】
（４）上記実施形態では、レール案内体取付具６ａを介して本体部１の内側下面部にレール案内体６を取り付ける構成を示したが、例えば、レール案内体取付具６ａを断面コ字状に形成し、そのレール案内体取付具６ａを本体部１の内側横側面部に取り付けて、そのレール案内体取付具６ａを介して本体部１の内側横側面部にレール案内体６を取り付けるように構成して実施することも可能であり、レール案内体６の取り付け位置については、本体部１の内側面部であればよく、適宜変更が可能である。
【図面の簡単な説明】
【図１】食器洗浄機の斜視図
【図２】食器洗浄機の縦断側面図
【図３】食器洗浄機の縦断後面図
【図４】食器洗浄機の要部拡大図
【図５】従来技術における食器洗浄機の斜視図
【符号の説明】
１              本体部
２              洗浄槽
６              レール案内体
７              レール体
９              化粧体
１０            制振材
１１            吸音材
【図１】
0004690601.tif 000002
【図２】
0004690601.tif 000003
【図３】
0004690601.tif 000004
【図４】
0004690601.tif 000005
【図５】
0004690601.tif 000006